(57)【特許請求の範囲】
【請求項１】
遊技盤と、前記遊技盤の中央部に設置されたセンター役物と、前記センター役物の表示窓に填め込まれた表示装置と、を備える弾球遊技機において、
前記センター役物は、額縁状の本体部と、前記本体部と着脱可能なアタッチメントと、前記アタッチメントに着脱可能なステージと、から構成され、
前記本体部は、背面側に支持枠が突設されたベース板と、前記ベース板の上部前面に設けられた飾部材と、で構成され、
前記アタッチメントは、背板部と、前記背板部の表側に突設し下端に嵌合溝が設けられた嵌合枠と、前記嵌合枠の下端間に横設され嵌合穴が設けられた球衝突防止板と、で構成され、前記嵌合枠と前記球衝突防止板とで前記表示装置の表示面が臨む前記表示窓を形成し、
前記ステージは、左右端に前記嵌合溝に整合する嵌合部及び奥側端面に前記嵌合穴に整合する嵌合突起を有し、
前記ステージと前記アタッチメントとが嵌合されることで、外面形状が前記支持枠の内面形状と整合する一連の枠状体が形成され、前記支持枠の内側に前記枠状体が嵌合されることを特徴とする弾球遊技機。
【請求項２】
前記センター役物の下方に始動入賞口を配し、
前記飾部材には天入球口が設けられ、前記ベース板の背面側には前記天入球口に対応して球誘導路が設けられ、前記背板部には、上部に前記球誘導路に対応して球入口が設けられると共に内部に前記球入口と連通するワープ通路が設けられ、前記嵌合枠の内側下奥壁部には、前記ワープ通路と連通する球出口が設けられ、
前記天入球口に入球した遊技球は、前記ワープ樋を通って前記球出口から前記ステージ上に落下し、前記ステージ上に形成された凹部から下方に落下したときは、前記始動入賞口に入賞する可能性を高くすることを特徴とする請求項１に記載の弾球遊技機。
【発明の詳細な説明】
【０００１】
【発明の属する技術分野】
本発明は、弾球遊技機に関する。
【０００２】
【従来の技術】
従来、パチンコ機やアレンジボール式パチンコ機等の弾球遊技機には、図１８に例示されるセンター役物を備えるものがある。
このセンター役物３００は、可変表示装置の表示面に対応する表示窓３０２を有する枠状の表示枠部材３０４、表示枠部材３０４の前面側に配されセンター役物３００を遊技盤に固定するための部材となるベース板３０６、ベース板３０６の前面に取り付けられた一対の前飾り部材３０８、入球口３１０、デジタル表示器３１２および保留ランプ３１４等を備えて前飾り部材３０８の間に配された中飾り部材３１６、前飾り部材３０８の下方に配されて遊技盤面から導入した遊技球を表示枠部材３０４の内側に放出するワープ樋３１８等から構成されている。
【０００３】
このセンター役物３００では、表示枠部材３０４の床に相当する部分はワープ樋３１８から流出した遊技球を遊動させた後に球誘導凹部３２０から遊技盤面に向けて落下させるステージ３２２とされており、弾球遊技の興趣を向上させる役割を持っている。
【０００４】
特に、最近は可変表示装置の大型化に伴いセンター役物も大型化し、したがってステージのスペースも大きく確保できるため、様々な形状、機能を有するステージが備えられたセンター役物が機種毎に搭載され、遊技球の進路を変更させる等して遊技に変化を与えることにより遊技の趣向性を向上させている。
【０００５】
【発明が解決しようとする課題】
ところで、従来のセンター役物ではステージが他の部材と一体成形されていたので、ステージの形状、機能等を変更する場合にはセンター役物全体あるいはステージと一体成形されている部材を変更しなければならなかった。このため、設計業務の煩雑化、コストアップ等の不都合が生じることがあった。
【０００６】
本発明は、このようなステージを備えたセンター役物に関わる不都合を解消することを目的としている。
【０００７】
【課題を解決するための手段および発明の効果】
上記課題を解決するための請求項１記載の弾球遊技機は、
遊技盤と、前記遊技盤の中央部に設置されたセンター役物と、前記センター役物の表示窓に填め込まれた表示装置と、を備える弾球遊技機において、
前記センター役物は、額縁状の本体部と、前記本体部と着脱可能なアタッチメントと、前記アタッチメントに着脱可能なステージと、から構成され、
前記本体部は、背面側に支持枠が突設されたベース板と、前記ベース板の上部前面に設けられた飾部材と、で構成され、
前記アタッチメントは、背板部と、前記背板部の表側に突設し下端に嵌合溝が設けられた嵌合枠と、前記嵌合枠の下端間に横設され嵌合穴が設けられた球衝突防止板と、で構成され、前記嵌合枠と前記球衝突防止板とで前記表示装置の表示面が臨む前記表示窓を形成し、
前記ステージは、左右端に前記嵌合溝に整合する嵌合部及び奥側端面に前記嵌合穴に整合する嵌合突起を有し、
前記ステージと前記アタッチメントとが嵌合されることで、外面形状が前記支持枠の内面形状と整合する一連の枠状体が形成され、前記支持枠の内側に前記枠状体が嵌合されることを特徴とする。
【０００８】
ステージをアタッチメントに着脱可能としたので、ステージの形状、機能等を変更する場合にはステージだけを変更すればよく、センター役物全体あるいはセンター役物を保持するアタッチメント等を変更する必要はなく、それらの変更に伴う設計業務の煩雑化、コストアップ等の不都合を解消できる。
【０００９】
請求項２記載の弾球遊技機は、
前記センター役物の下方に始動入賞口を配し、
前記飾部材には天入球口が設けられ、前記ベース板の背面側には前記天入球口に対応して球誘導路が設けられ、前記背板部には、上部に前記球誘導路に対応して球入口が設けられると共に内部に前記球入口と連通するワープ通路が設けられ、前記嵌合枠の内側下奥壁部には、前記ワープ通路と連通する球出口が設けられ、  前記天入球口に入球した遊技球は、前記ワープ樋を通って前記球出口から前記ステージ上に落下し、前記ステージ上に形成された凹部から下方に落下したときは、前記始動入賞口に入賞する可能性を高くすることを特徴とする請求項１に記載の弾球遊技機である。
【００１０】
【発明の実施の形態】
次に、本発明の実施例を図面を参照して説明することにより、発明の実施の形態を具体的に説明する。
【００１１】
【実施例１】
図１に示すように、本実施例の弾球遊技機としてのパチンコ機１０では、遊技盤１２の中央部にセンター役物１４が設置されており、その表示窓５１内には液晶表示装置（本体部分の図示は省略）の表示面６２が填め込まれている。また、センター役物１４の下方には、始動入賞口１６、大入賞口１８、普通入賞口２２等が配されている。
【００１２】
図２に示すように、センター役物１４は、額縁状の本体部２４とアタッチメント２６とから構成されている。
図２および図３に示すように、本体部２４は、ベース板２８、中飾部材３０、左飾部材３２、右飾部材３４、球誘導部材３６によって構成され、ベース板２８の背面側には支持枠５４が突設されている。
【００１３】
中飾部材３０にはデジタル表示器３７と一対の天入球口３８が設けられており、ベース板２８の裏面には、天入球口３８に対応して球誘導路４０が設けられている。そして、図２に示すように、アタッチメント２６には、球誘導路４０に対応して球入口４２が設けられている。
【００１４】
図２および図３に示すように、左飾部材３２と右飾部材３４とは互いに対照となる形状で、中飾部材３０と共に庇状に前方に突出している。左飾部材３２および右飾部材３４のそれぞれの側面には球通過口５６が開口しており（図示は、右飾部材３４の球通過口５６のみ）、球通過口５６に流入した遊技球は、図示しない出口から球誘導部材３６上に落ち、球誘導部材３６によって中央側に誘導されて、さらに下方へと落下することになる。
【００１５】
図４〜図７に示すように、アタッチメント２６の表側には嵌合枠５０が突設されている。嵌合枠５０の下端間には球衝突防止板５２が横設されており、嵌合枠５０と球衝突防止板５２により表示窓５１が形成されている。
図５〜図７に示すように、嵌合枠５０の下端には嵌合溝７２が設けられ、球衝突防止板５２には嵌合穴７４が設けられている。
【００１６】
図５に示すようにステージ４６の左右端には嵌合溝７２に整合する嵌合部７６が設けられ、奥側の端面には嵌合穴７４に整合する嵌合突起７８が設けられており、嵌合溝７２に嵌合部７６を、嵌合穴７４に嵌合突起７８を嵌合させることにより、図４に示されるように、ステージ４６がアタッチメント２６に取り付けられている。また、これらの嵌合を解除すれば、ステージ４６をアタッチメント２６から取り外すことができる。
【００１７】
図４に示すように、ステージ４６をアタッチメント２６に取り付けた際には、嵌合枠５０とステージ４６とで一連の枠状体８０を形成する。この枠状体８０の外面形状は支持枠５４（図４には示さない）の内面形状に整合し、支持枠５４の内側に枠状体８０を嵌合させることにより、図２に示されるようにベース板２８（すなわち本体部２４）とアタッチメント２６とを接合させることができ、またその嵌合を解除することにより本体部２４とアタッチメント２６と分離することができる。
【００１８】
図２、図４および図５に示すように、ステージ４６の中央部には凹部４７が設けられており、ステージ４６の左右端側から凹部４７に向かって緩やかな傾斜が付与されている。また、ステージ４６には、アタッチメント２６に取付けた際に球衝突防止板５２と並行する位置に、球誘導突起８２が設けられている。そして、嵌合枠５０内の左右の壁には、球衝突防止板５２と球誘導突起８２の間になる位置に、球出口４８が開口している。
【００１９】
図７に示すように、アタッチメント２６の背板部２７の上辺から側辺にかけては、球入口４２に連通するワープ通路４４が設けられており、ワープ通路４４は、球出口４８に通じている。このため、球入口４２に流入した遊技球（つまり天入球口３８に入球した遊技球）は、ワープ通路４４を通って球出口４８からステージ４６上に落下することになる。ステージ４６に落下した遊技球の大半は球衝突防止板５２と球誘導突起８２によって形成される溝に沿って凹部４７に向かって移動し、凹部４７から手前側に落下するが、凹部４７に達する前に溝から外れてステージ４６から手前側に落下するものもある。図１に示されるように凹部４７の下方には始動入賞口１６が配されているから、凹部４７から落下した遊技球が始動入賞口１６に入賞する可能性が高いと言える。
【００２０】
以上の説明から明らかなように、このセンター役物１４では、ステージ４６をアタッチメント２６に着脱自在で、例えばステージ４６を図８に示される形状のステージ９０に交換することができる。
図８に示すように、このステージ９０の中央部には３本の球誘導凹部９２が設けられており、この点で上述のステージ４６と違っている。
【００２１】
しかし、それ以外の各部の寸法や形状等、例えば嵌合部７６、嵌合突起７８および球誘導突起８２はステージ４６と同じで、嵌合枠５０の嵌合溝７２に嵌合部７６を、嵌合穴７４に嵌合突起７８を嵌合させることにより図９に示されるようにアタッチメント２６に取り付けてセンター役物１４に組み付けることができる。また、これらの嵌合部７６および嵌合突起７８による嵌合を解除すれば、アタッチメント２６から取り外すことができる。
【００２２】
以上のように、このセンター役物１４を備えるパチンコ機１０では、ステージ４６、９０をアタッチメント２６に着脱、交換自在である。したがってステージ４６、９０の形状、機能等を変更する場合にはステージ４６、９０だけを変更すればよく、例えばセンター役物１４全体あるいはステージ４６を保持するアタッチメント２６等を変更する必要はなく、それら（センター役物１４等）の変更に伴う設計業務の煩雑化、コストアップ等の不都合を解消できる。
【００２３】
なお、液晶表示装置等の可変表示装置の表示面の大きさに対応した表示窓が形成されたアタッチメントをベース板に着脱可能とし、様々な可変表示装置のサイズに対応できるように構成してもよい。
【００２４】
【実施例２】
次にステージに入賞口装置等の遊技装置や障害突起等の遊技部材を設ける例を説明する。
図１０に示すように、このパチンコ機１００の遊技盤１０２の中央部にはセンター役物１０４が設置されており、図１０、図１１、図１２および図１４に示すように、その表示窓１０６内には液晶表示装置１０８（本体部分は図１２および図１４参照）の表示面１１０が配されている。また、図１０に示すように、センター役物１０４の下方には、大入賞装置１１２や入賞口１１４、１１６等が配されている。大入賞装置１１２は、開閉板１１３を手前側（遊技者側）に倒すと開放されてきわめて入賞しやすい状態になるが、通常は図示のように開閉板１１３が起てられていて入賞不可能である。
【００２５】
図１０、図１１、図１２および図１４に示すように、表示窓１０６は表示窓１０６側からベース板１１８側に広がる漏斗状の枠体１２０の一部として形成されている。枠体１２０の床１２２にはステージ取付穴１２４が設けられており、ここにステージ１２６が取り付けられている。詳しくは、図１４に示すようにステージ取付穴１２４の縁部は階段状になっており、その階段状の部分にステージ１２６の段差部１２８を嵌合させ、ピン１３０を中心にして回動可能な長方形の係止片１３２によってステージ１２６の背面の上下左右４箇所を支承している。これら係止片１３２の長手方向をステージ１２６側に突出させていればステージ１２６は固定され（図示の状態）、係止片１３２を回動させて長手方向をステージ１２６から外せばステージ１２６を取り外すことができる。
【００２６】
図１０〜図１４に示すように、ステージ１２６の上面側には遊技部材としての障害突起１３４および遊技装置としての始動入賞装置１３６が設置されている。図１１、図１２および図１４に示すように、始動入賞装置１３６は一対の羽根部材１３８を備えるチューリップ式入賞装置であり、羽根部材１３８を開くと入賞しやすい状態になる。また、図１３および図１４に示すように、ステージ１２６には始動入賞装置１３６に入球した遊技球を落下させるための入球穴１４４が設けられており、図１４に示すように、始動入賞装置１３６に入賞した遊技球を誘導するための球集合樋１４２が入球穴１４４に接続されている。なお、図１４に示すように、ステージ１２６の背面側には羽根部材１３８を開閉駆動するための駆動部１４０が配されている。
【００２７】
図１０、図１１、図１２および図１４に示すように、センター役物１０４の前面側には中飾部材１５０、左飾部材１５２および右飾部材１５４が配されている。図１２および図１４に示すように、これら中飾部材１５０、左飾部材１５２および右飾部材１５４はベース板１１８の前面（すなわち遊技盤１０２の前面側）に突出している。中飾部材１５０には一対の入球口１６０が設けられており、入球口１６０にはワープ樋１６２が接続されている。
図１２に示すように、左飾部材１５２および右飾部材１５４のそれぞれの側面には球通過口１５６が開口しており（図示は、右飾部材１５４の球通過口１５６のみ）、球通過口１５６に流入した遊技球は、図示しない出口から落下して遊技盤１０２上に戻って行く。
【００２８】
図１４に示すようにワープ樋１６２の他端は枠体１２０に設けられた球出口１６４に接続されている。図１０、図１１および図１４に示すように、球出口１６４は枠体１２０の内側に向かって開口しており、入球口１６０に流入した遊技球は、ワープ樋１６２によって導かれて球出口１６４からステージ１２６上に流出する。
【００２９】
次に、このパチンコ機１００の動作すなわちパチンコ遊技について説明する。このパチンコ機１００では、遊技盤１０２に向けて発射された遊技球が大入賞装置１１２や入賞口１１４、１１６等に入賞すると賞球としての遊技球が払出される。これは公知のパチンコ機と同様である。
【００３０】
さて、このパチンコ機１００では、入球口１６０に流入した遊技球は、ワープ樋１６２によって導かれて球出口１６４からステージ１２６上に流出する。その遊技球は、ステージ１２６の傾斜により奥から手前側に向かって転動するが、途中障害突起１３４との衝突で進路を変化させられ、あるものは始動入賞装置１３６に入賞し、他はステージ１２６から遊技盤１０２側に流出、落下する。
【００３１】
始動入賞装置１３６に遊技球が入賞すると、液晶表示装置１０８の表示面１１０にて図柄が変動表示され、当たり図柄（例えば７７７）あるいは外れ図柄が静止表示される。ここで当たり図柄が表示された場合には、パチンコ機１００は特別遊技を実行する。この特別遊技は、公知の第１種と呼ばれるパチンコ機と同様であるが、簡単に説明する。
【００３２】
特別遊技では、まず開閉板１１３を倒して大入賞装置１１２を開放し、きわめて入賞しやすい状態にする。そして、大入賞装置１１２を開放してから３０秒を経過するか、大入賞装置１１２への入賞球が１０球に達したなら開閉板１１３を起てて大入賞装置１１２を閉鎖する。その際に、今回の開放中の入賞球のいずれかが大入賞装置１１２のＶ領域を通過していたなら、大入賞装置１１２を再び開放し、前述と同様に閉鎖させることを繰り返す。
【００３３】
もし、大入賞装置１１２の開放中に入賞した遊技球中でＶ領域を通過したものがない場合、あるいは大入賞装置１１２の開放回数が規定数（本実施例では１６回）に達した場合には、大入賞装置１１２の再開放は行われず、特別遊技は終了となる。
【００３４】
このパチンコ機１００のセンター役物１０４では、係止片１３２を操作することによりステージ１２６を着脱できる。したがってステージ１２６の形状、機能、障害突起１３４や始動入賞装置１３６等を変更する場合にはステージ１２６だけを変更すればよく、例えばセンター役物１０４全体あるいはステージ１２６を保持する枠体１２０等を変更する必要はなく、それら（センター役物１０４等）の変更に伴う設計業務の煩雑化、コストアップ等の不都合を解消できる。
【００３５】
しかも、センター役物１０４内に設置されるステージ１２６上に障害突起１３４や始動入賞装置１３６を配して、ステージ１２６上の第２の遊技領域としているので、全体として（遊技盤１０２上に形成される従来と同様の遊技領域と上述の第２の遊技領域とで）遊技領域の有効スペースを拡大することができる。
【００３６】
パチンコ機等の弾球遊技機に大型の可変表示装置を配設すると遊技領域の有効スペースが縮小されるので遊技装置や遊技部材などを配置し難く、かりに配置できたとしても遊技に弊害をもたらしかねない。しかし、本実施例のようにこれらをステージ上に配設すれば遊技に弊害をもたらさず且つ有効スペースを拡大することができるので、大型の可変表示装置を配設する場合には特に有効である。
【００３７】
また、弾球遊技機に配設される遊技装置や遊技部材には、複数の機種で共通なものと機種毎に異なるものとがある。これら機種毎に異なる遊技装置や遊技部材の一部あるいは全部をステージに配設すれば、機種の変更に際して変更箇所が少なくなり、設計業務を簡略化できる。
【００３８】
【ステージの変形例】
この例は、センター役物のステージの構造を変更した例であり、その他の構成は実施例２と同様である。
図１５〜図１７に示すように、この例のセンター役物１０４’のステージ１２６’には、多数の障害突起１３４が立設され、遊技装置としての第３種始動口１７０および振分装置１９０が配設されている。
【００３９】
第３種始動口１７０は、遊技球が通過可能な切欠１７２を有する環状の外縁部材１７４、遊技球を受容可能な凹陥部１７６を有して外縁部材１７４内で回転する回転部材１７８を備えており、ステージ１２６’の背面側には回転部材１７８を駆動する駆動部（図示略）が配されている。図１７に示すように、ステージ１２６’には遊技球を通過させる球流出穴１８０が設けられている。また、図示は省略するが、ステージ１２６’の背面側には実施例２で示したのと同様の球集合樋が配され、球流出穴１８０に接続されている。こうした構成により、凹陥部１７６が切欠１７２に整合する位置にあるときには遊技球が切欠１７２を通過して凹陥部１７６に流入でき、凹陥部１７６に受容された遊技球は、回転部材１７８の回転に伴って凹陥部１７６が球流出穴１８０上に達したときに球流出穴１８０から落下して球集合樋に流出する。
【００４０】
図１７に示すように、振分装置１９０には開閉板１９２が備えられている。この開閉板１９２は、ステージ１２６’の表面とほぼ平行になる閉鎖位置（図示の位置）とステージ１２６’上にほぼ直立する開放位置とに変動可能で、ステージ１２６’の背面側には開閉板１９２を開閉駆動するための駆動機構（図示略）が設置されている。このため、開閉板１９２が閉鎖位置にあるときには振分装置１９０に遊技球が流入することはないが、開閉板１９２を開放位置にすると遊技球が流入しやすくなる。また、振分装置１９０の内部は３分割されていて、中央部が特定領域１９４、左右が通常領域１９６とされており、振分装置１９０に流入した遊技球は特定領域１９４または通常領域１９６を通過する。
【００４１】
このセンター役物１０４’を備えるパチンコ機では公知の第３種パチンコ機と同様のゲームが行われるので、次にその主要な部分を簡単に説明する。
このパチンコ機では、遊技盤上に設置されている入賞口のいくつか（普通は１〜２個）、例えば実施例２のパチンコ機１００の入賞口１１４、１１６が図柄始動口とされる。そして、図柄始動口に入賞があると液晶表示装置１０８の表示面１１０にて図柄が変動表示され、当たり図柄（例えば７７７）あるいは外れ図柄が静止表示される。
【００４２】
ここで当たり図柄が表示されると振分装置１９０の開閉板１９２が設定時間開放位置とされる。この開放期間中に振分装置１９０に流入した遊技球が特定領域１９４を通過すると特別遊技が開始される。
特別遊技では、第３種始動口１７０に遊技球が入球すると（正確には球流出穴１８０を通過すると）、大入賞装置が開放されて、きわめて入賞しやすい状態になる。この大入賞装置は、図１０に示される大入賞装置１１２を第３種パチンコ機用の大入賞装置に取り換えればよい。簡易的には、大入賞装置１１２のＶ領域通過センサを取り外して１０カウントセンサだけにして流用することもできる。
【００４３】
大入賞装置は、開放後３０秒を経過するか、大入賞装置への入賞球が１０球に達したなら閉鎖される。そして、再び第３種始動口１７０に遊技球が入球すると大入賞装置が開放され前述と同様に閉鎖される。第３種始動口１７０に入球する毎に大入賞装置の開放、閉鎖が繰り返され、大入賞装置の開放回数が規定数（本実施例では１６回）に達すれば特別遊技は終了となる。
【００４４】
このセンター役物１０４も実施例２のセンター役物１０４と同様に、ステージ１２６’を着脱でき、ステージ１２６’に遊技装置（第３種始動口１７０、振分装置１９０）や遊技部材（障害突起１３４）を配設しているので、実施例２と同様の効果を得ることができる。
【００４５】
なお、これら実施例２および変形例で説明したセンター役物のステージには、上述した遊技装置（始動入賞装置、第３種始動口等）や遊技部材（障害突起等）ばかりでなく、他の遊技装置や入球口、ランプ類、風車等の遊技部材を配設してもよい。
【００４６】
さらに、これら実施例２および変形例で説明したセンター役物の構造は、アレンジボール式パチンコ機にも応用できる。その場合、アレンジボール式パチンコ機に使用される公知の振分装置、得点増加装置等の遊技装置や入球口、風車等の遊技部材を配設すればよい。
【００４７】
振分装置は、例えばチューリップ式入球装置に入球した遊技球が複数穴を有するいわゆるクルーン上に進入する構成とし、入球した遊技球が設定された穴に入球した場合に特別遊技となるように構成してもよいし、その他の構成でも構わない。なお、チューリップ式入球装置を採用する場合には、これが開放していなければ入球不可能に構成するのが好ましい。また、可変表示装置、大入賞装置、第３種始動口、始動入賞装置等の遊技装置もこれらの構成に限定されるものではない。
【００４８】
以上、２つの実施例と１つの変形例に従って、本発明の実施の形態について説明したが、本発明はこのような実施例等に限定されるものではなく、本発明の要旨を逸脱しない範囲でさまざまに実施できることは言うまでもない。
例えば、ステージの着脱方法は上述の各例に限るものではなく、様々実施可能である。
【００４９】
ステージを木製、発泡性樹脂等とすれば遊技釘を打ち込み可能となり、釘調整（遊技釘を叩打する等して遊技釘の角度を変更し、例えば入球装置等への入球率を変更する）が可能となる。この場合、ステージは遊技釘を打ち込んで調整しても支障のない材質であれば木製、発泡性樹脂以外の材質でもよい。
【図面の簡単な説明】
【図１】  実施例１のパチンコ機の正面図である。
【図２】  実施例１のセンター役物の斜視図である。
【図３】  実施例１のセンター役物の本体部の斜視図である。
【図４】  実施例１のセンター役物のアタッチメントの斜視図である。
【図５】  実施例１のセンター役物のアタッチメントの分解斜視図である。
【図６】  実施例１のセンター役物のアタッチメントでステージを取り外した状態の斜視図である。
【図７】  実施例１のセンター役物のアタッチメントでステージを取り外した状態の正面図である。
【図８】  実施例１のセンター役物のアタッチメントに取り付けられるステージの一例の斜視図である。
【図９】  図８のステージを取り付けたセンター役物の斜視図である。
【図１０】  実施例２のパチンコ機の正面図である。
【図１１】  実施例２のセンター役物の正面図である。
【図１２】  実施例２のセンター役物の斜視図である。
【図１３】  実施例２のセンター役物のステージの平面図である。
【図１４】  実施例２のセンター役物の図１０におけるＡ−Ａ線に沿った断面図である。
【図１５】  変形例のセンター役物の斜視図である。
【図１６】  変形例のセンター役物の正面図である。
【図１７】  変形例のセンター役物のステージの平面図である。
【図１８】  従来のセンター役物の一例の斜視図である。
【符号の説明】
１０…パチンコ機（弾球遊技機）    １２…遊技盤    １４…センター役物
１６…始動入賞口    １８…大入賞口    ２２…普通入賞口    ２４…本体部
２６…アタッチメント（ステージ保持部材）    ２７…背板部
２８…ベース板    ３０…中飾部材    ３２…左飾部材    ３４…右飾部材
３６…球誘導部材    ３７…デジタル表示器    ３８…天入球口（導入機構）
４０…球誘導路（導入機構）    ４２…球入口（導入機構）
４４…ワープ通路（導入機構）    ４６…ステージ    ４７…凹部
４８…球出口（導入機構）    ５０…嵌合枠（ステージ保持部材）
５１…表示窓    ５２…球衝突防止板    ５４…支持枠    ５６…球通過口
６２…表示面    ７２…嵌合溝    ７４…嵌合穴    ７６…嵌合部
７８…嵌合突起    ８０…枠状体    ８２…球誘導突起
９０…ステージ    ９２…球誘導凹部
１００…パチンコ機（弾球遊技機）    １０２…遊技盤
１０４、１０４’…センター役物    １０６…表示窓    １０８…液晶表示装置
１１０…表示面    １１２…大入賞装置    １１３…開閉板    １１４…入賞口
１１８…ベース板    １２０…枠体（ステージ保持部材）    １２２…床
１２４…ステージ取付穴    １２６、１２６’…ステージ    １２８…段差部
１３０…ピン    １３２…係止片    １３４…障害突起
１３６…始動入賞装置    １３８…羽根部材    １４０…駆動部
１４２…球集合樋    １４４…入球穴    １５０…中飾部材
１５２…左飾部材    １５４…右飾部材    １６０…入球口（導入機構）
１６２…ワープ樋（導入機構）    １６４…球出口（導入機構）
１７０…第３種始動口    １７２…切欠    １７４…外縁部材
１７６…凹陥部    １７８…回転部材    １８０…球流出穴
１９０…振分装置    １９２…開閉板    １９４…特定領域
１９６…通常領域
【図１】
0004194056.tif 000002
【図２】
0004194056.tif 000003
【図３】
0004194056.tif 000004
【図４】
0004194056.tif 000005
【図５】
0004194056.tif 000006
【図６】
0004194056.tif 000007
【図７】
0004194056.tif 000008
【図８】
0004194056.tif 000009
【図９】
0004194056.tif 000010
【図１０】
0004194056.tif 000011
【図１１】
0004194056.tif 000012
【図１２】
0004194056.tif 000013
【図１３】
0004194056.tif 000014
【図１４】
0004194056.tif 000015
【図１５】
0004194056.tif 000016
【図１６】
0004194056.tif 000017
【図１７】
0004194056.tif 000018
【図１８】
0004194056.tif 000019